(57)【要約】      （修正有）【課題】画面分割表示を実現し、且つ各サイズのノートパソコンのディスプレイに適合させることが可能なノートパソコンのディスプレイの画面分割表示装置を提供する。【解決手段】左支持板１と右支持板２を含み、左支持板の縁辺部に左スライドアーム１０が形成され、右支持板の縁辺部に右スライドアーム２０が形成され、右スライドアームと左スライドアームは上下で平行になり、左スライドアームは右支持板内に挿設され且つ両者が滑り嵌めされて、右スライドアームは左支持板内に挿設され且つ両者が滑り嵌めされて、左支持板の左上隅及び右支持板の右上隅にそれぞれノートパソコンのディスプレイを挟持するためのクランプ機構３が設けられ、左支持板の左側縁辺部に左ディスプレイ４が設けられ且つ両者はヒンジ接続で組み合わされて、右支持板の右側縁辺部に右ディスプレイ５が設けられ且つ両者はヒンジ接続で組み合わされ、左支持板又は右支持板の裏側には外向きに所定角度で起こすことができる支持機構６が設けられる。【選択図】図２
0003231364.tif 000002
【実用新案登録請求の範囲】
【請求項１】
ノートパソコンのディスプレイの画面分割表示装置であって、
左支持板（１）と右支持板（２）を含み、
前記左支持板（１）の縁辺部に左スライドアーム（１０）が形成され、前記右支持板（２
）の縁辺部に右スライドアーム（２０）が形成され、前記右スライドアーム（２０）と前
記左スライドアーム（１０）は上下で平行になり、前記左スライドアーム（１０）は前記
右支持板（２）内に挿設され且つ両者が滑り嵌めされて、前記右スライドアーム（２０）
は前記左支持板（１）内に挿設され且つ両者が滑り嵌めされて、前記左支持板（１）の左
上隅及び前記右支持板（２）の右上隅にそれぞれノートパソコンのディスプレイを挟持す
るためのクランプ機構（３）が設けられ、前記左支持板（１）の左側縁辺部に左ディスプ
レイ（４）が設けられ且つ両者はヒンジ接続で組み合わされて、前記右支持板（２）の右
側縁辺部に右ディスプレイ（５）が設けられ且つ両者はヒンジ接続で組み合わされ、前記
左支持板（１）又は前記右支持板（２）の裏側には外向きに所定角度で起こすことができ
る支持機構（６）が設けられる、ことを特徴とするノートパソコンのディスプレイの画面
分割表示装置。
【請求項２】
前記右支持板（２）の内側に歯車（２１）が設けられ、前記左スライドアーム（１０）の
側辺にラック部（１１）が形成されて、前記ラック部（１１）と前記歯車（２１）が相互
に噛合する、ことを特徴とする請求項１に記載のノートパソコンのディスプレイの画面分
割表示装置。
【請求項３】
前記左支持板（１）は左ベース（１２）と左パネル（１３）を含み、前記左ベース（１２
）と前記左パネル（１３）は対向して突き合わされ且つ両者は固定接続される、ことを特
徴とする請求項１に記載のノートパソコンのディスプレイの画面分割表示装置。
【請求項４】
前記右支持板（２）は右ベース（２２）と右パネル（２３）を含み、前記右ベース（２２
）と前記右パネル（２３）は対向して突き合わされ且つ両者は固定接続される、ことを特
徴とする請求項２に記載のノートパソコンのディスプレイの画面分割表示装置。
【請求項５】
前記右ベース（２２）の左側縁辺部に円形ホルダ（２４）が形成され、前記歯車（２１）
は前記円形ホルダ（２４）内に設けられ且つ両者は回転して組み合わせられる、ことを特
徴とする請求項４に記載のノートパソコンのディスプレイの画面分割表示装置。
【請求項６】
前記右パネル（２３）上に円形パネルカバー（２５）が形成され、前記円形パネルカバー
（２５）は前記歯車（２１）を覆い、且つ前記円形パネルカバー（２５）は前記円形ホル
ダ（２４）と相互に係合される、ことを特徴とする請求項５に記載のノートパソコンのデ
ィスプレイの画面分割表示装置。
【請求項７】
前記左支持板（１）の右側縁辺部に半円形凹部（１４）が開設され、且つ前記半円形凹部
（１４）は前記円形ホルダ（２４）に対向して設けられ、前記左支持板（１）と前記右支
持板（２）を対向して突き合わせたときに、前記円形ホルダ（２４）の左半分は前記半円
形凹部（１４）の中に収容される、ことを特徴とする請求項６に記載のノートパソコンの
ディスプレイの画面分割表示装置。
【請求項８】
前記左支持板（１）及び右支持板（２）の縁辺部にいずれもサイドシェル（３０）が形成
され、前記クランプ機構（３）は逆Ｕ字形クランプ（３１）を含み、前記逆Ｕ字形クラン
プ（３１）の第１ブラケット（３１０）は前記サイドシェル（３０）内に挿設され、且つ
前記第１ブラケット（３１０）は前記サイドシェル（３０）に対して前後にスライドする
ことができ、前記逆Ｕ字形クランプ（３１）の第２ブラケット（３１１）は前記サイドシ
ェル（３０）の前側に向かって延伸し、且つ前記第２ブラケット（３１１）と前記サイド
シェル（３０）の間に、ノートパソコンのディスプレイを挟持するための挟み口（３２）
が形成され、前記第１ブラケット（３１０）の前側と前記サイドシェル（３０）の間にク
ランプばね（３３）が挟み込まれ、前記クランプばね（３３）が付勢する弾性力により前
記逆Ｕ字形クランプ（３１）が後方に向かって移動することで、前記ノートパソコンのデ
ィスプレイを前記挟み口（３２）の中にクランプする、ことを特徴とする請求項１に記載
のノートパソコンのディスプレイの画面分割表示装置。
【請求項９】
前記右支持板（２）の上下両端にそれぞれ前向きに突出する前ステップ部（２００）が形
成され、前記右ディスプレイ（５）は上下二つの前ステップ部（２００）の間に挟み込ま
れ、且つ前記右ディスプレイ（５）は上下二つの前ステップ部（２００）といずれも回転
接続され、前記左支持板（１）の上下両端にそれぞれ後向きに突出する後ステップ部（１
００）が形成され、前記左ディスプレイ（４）は上下二つの後ステップ部（１００）の間
に挟み込まれ、且つ前記左ディスプレイ（４）は上下二つの後ステップ部（１００）とい
ずれも回転接続され、
前記右ディスプレイ（５）と上下二つの前ステップ部（２００）との組み合わせにより、
前記右ディスプレイ（５）を前記左支持板（１）及び前記右支持板（２）の前側に向かっ
て反転させることができ、
前記左ディスプレイ（４）と上下二つの後ステップ部（１００）との組み合わせにより、
前記左ディスプレイ（４）を前記左支持板（１）及び前記右支持板（２）の後側に向かっ
て反転させることができる、ことを特徴とする請求項１に記載のノートパソコンのディス
プレイの画面分割表示装置。
【請求項１０】
前記左支持板（１）又は前記右支持板（２）の後側にスロット（６０）が開設され、前記
支持機構（６）は角管支持アーム（６１）を含み、前記角管支持アーム（６１）は前記ス
ロット（６０）内に設けられ、且つ前記角管支持アーム（６１）は前記スロット（６０）
に相対して所定角度で起こすことができ、前記角管支持アーム（６１）内に伸縮アーム（
６２）が穿設され、前記伸縮アーム（６２）は前記角管支持アーム（６１）の下端から伸
び出し、且つ前記伸縮アーム（６２）と前記角管支持アーム（６１）は滑り嵌めされ、前
記角管支持アーム（６１）の側面に押しねじ（６３）が穿設され、前記押しねじ（６３）
と前記角管支持アーム（６１）はねじで係合され、且つ前記押しねじ（６３）の端部は前
記伸縮アーム（６２）に向けられ、前記押しねじ（６３）が前記伸縮アーム（６２）に押
し付けられて係合することで、前記伸縮アーム（６２）が前記角管支持アーム（６１）内
に固定される、ことを特徴とする請求項１に記載のノートパソコンのディスプレイの画面
分割表示装置。
【考案の詳細な説明】
【技術分野】
【０００１】
本考案は画面分割表示ディスプレイに関し、特にノートパソコンのディスプレイの画面分
割表示装置に関する。
【背景技術】
【０００２】
従来技術においては、作業中に複数のディスプレイに表示したい場合，ノートパソコンの
外付けディスプレイを使用する方法で拡張を実現できるが、スタンドアローンディスプレ
イを拡張するこのような方法は場所を取るだけでなく、ユーザの操作や閲覧に不便である
ことから、小型化された画面分割表示をどのように実現するか、及び各サイズのノートパ
ソコンのディスプレイをどのようにマッチングさせるかは、従来技術において解決が待た
れる課題となっている。
【考案の概要】
【考案が解決しようとする課題】
【０００３】
本考案が解決しようとする課題は、従来技術における欠点に対して、画面分割表示を実現
し、各サイズのノートパソコンのディスプレイに適合させることができ、体積が小さく、
折り畳みと支持の機能を兼ね備えたノートパソコンのディスプレイの画面分割表示装置を
提供することである。
【課題を解決するための手段】
【０００４】
上記課題を解決するために、本考案が採用する技術案は以下のとおりである。
ノートパソコンのディスプレイの画面分割表示装置であって、左支持板と右支持板を含み
、前記左支持板の縁辺部に左スライドアームが形成され、前記右支持板の縁辺部に右スラ
イドアームが形成され、前記右スライドアームと前記左スライドアームは上下で平行にな
り、前記左スライドアームは前記右支持板内に挿設され且つ両者が滑り嵌めされて、前記
右スライドアームは前記左支持板内に挿設され且つ両者が滑り嵌めされて、前記左支持板
の左上隅及び前記右支持板の右上隅にそれぞれノートパソコンのディスプレイを挟持する
ためのクランプ機構が設けられ、前記左支持板の左側縁辺部に左ディスプレイが設けられ
且つ両者はヒンジ接続で組み合わされて、前記右支持板の右側縁辺部に右ディスプレイが
設けられ且つ両者はヒンジ接続で組み合わされ、前記左支持板又は前記右支持板の裏側に
は外向きに所定角度で起こすことができる支持機構が設けられる。
【０００５】
好ましくは、前記右支持板の内側に歯車が設けられ、前記左スライドアームの側辺にラッ
ク部が形成されて、前記ラック部と前記歯車が相互に噛合する。
【０００６】
好ましくは、前記左支持板は左ベースと左パネルを含み、前記左ベースと前記左パネルは
対向して突き合わされ且つ両者は固定接続される。
【０００７】
好ましくは、前記右支持板は右ベースと右パネルを含み、前記右ベースと前記右パネルは
対向して突き合わされ且つ両者は固定接続される。
【０００８】
好ましくは、前記右ベースの左側縁辺部に円形ホルダが形成され、前記歯車は前記円形ホ
ルダ内に設けられ且つ両者は回転して組み合わせられる。
【０００９】
好ましくは、前記右パネル上に円形パネルカバーが形成され、前記円形パネルカバーは前
記歯車を覆い、且つ前記円形パネルカバーは前記円形ホルダと相互に係合される。
【００１０】
好ましくは、前記左支持板の右側縁辺部に半円形凹部が開設され、且つ前記半円形凹部は
前記円形ホルダに対向して設けられ、前記左支持板と前記右支持板を対向して突き合わせ
たときに、前記円形ホルダの左半分は前記半円形凹部の中に収容される。
【００１１】
好ましくは、前記左支持板及び右支持板の縁辺部にいずれもサイドシェルが形成され、前
記クランプ機構は逆Ｕ字形クランプを含み、前記逆Ｕ字形クランプの第１ブラケットは前
記サイドシェル内に挿設され、且つ前記第１ブラケットは前記サイドシェルに対して前後
にスライドすることができ、前記逆Ｕ字形クランプの第２ブラケットは前記サイドシェル
の前側に向かって延伸し、且つ前記第２ブラケットと前記サイドシェルの間に、ノートパ
ソコンのディスプレイを挟持するための挟み口が形成され、前記第１ブラケットの前側と
前記サイドシェルの間にクランプばねが挟み込まれ、前記クランプばねが付勢する弾性力
により前記逆Ｕ字形クランプが後方に向かって移動することで、前記ノートパソコンのデ
ィスプレイを前記挟み口の中にクランプする。
【００１２】
好ましくは、前記右支持板の上下両端にそれぞれ前向きに突出する前ステップ部が形成さ
れ、前記右ディスプレイは上下二つの前ステップ部の間に挟み込まれ、且つ前記右ディス
プレイは上下二つの前ステップ部といずれも回転接続され、前記左支持板の上下両端にそ
れぞれ後向きに突出する後ステップ部が形成され、前記左ディスプレイは上下二つの後ス
テップ部の間に挟み込まれ、且つ前記左ディスプレイは上下二つの後ステップ部といずれ
も回転接続される。前記右ディスプレイと上下二つの前ステップ部との組み合わせにより
、前記右ディスプレイを前記左支持板及び前記右支持板の前側に向かって反転させること
ができる。前記左ディスプレイと上下二つの後ステップ部との組み合わせにより、前記左
ディスプレイを前記左支持板及び前記右支持板の後側に向かって反転させることができる
。
【００１３】
好ましくは、前記左支持板又は前記右支持板の後側にスロットが開設され、前記支持機構
は角管支持アームを含み、前記角管支持アームは前記スロット内に設けられ、且つ前記角
管支持アームは前記スロットに相対して所定角度で起こすことができ、前記角管支持アー
ム内に伸縮アームが穿設され、前記伸縮アームは前記角管支持アームの下端から伸び出し
、且つ前記伸縮アームと前記角管支持アームは滑り嵌めされ、前記角管支持アームの側面
に押しねじが穿設され、前記押しねじと前記角管支持アームはねじで係合され、且つ前記
押しねじの端部は前記伸縮アームに向けられ、前記押しねじが前記伸縮アームに押し付け
られて係合することで、前記伸縮アームが前記角管支持アーム内に固定される。
【００１４】
本考案が開示するノートパソコンのディスプレイの画面分割表示装置において、前記左支
持板及び右支持板はノートパソコンのディスプレイの後側に張り付けることができ、同時
にクランプ機構を利用してノートパソコンのディスプレイと前記左支持板及び右支持板を
相互に固定し、それにより画面分割表示装置とノートパソコンのディスプレイをより効果
的に組み合わせて使用し、同時に折り畳み式の左ディスプレイ及び右ディスプレイを組み
合わせることで画面分割表示を実現し、画面分割表示装置を単独で使用したいときには、
さらに支持機構を利用して該画面分割表示装置を斜めに立てた状態に支持することができ
、様々な応用のニーズを満たすことができる。上記特性から分かるように、本考案は従来
技術に対して、画面分割表示を実現し、且つ各サイズのノートパソコンのディスプレイに
適合させることが可能であり、同時に、本考案によるものは体積が小さく、折り畳みと支
持の機能を兼ね備えており、ユーザの要件及び市場のニーズをよりよく満たすことができ
る。
【図面の簡単な説明】
【００１５】
【図１】は画面分割表示装置の展開状態の斜視図１である。
【図２】は画面分割表示装置の展開状態の斜視図２である。
【図３】は左支持板及び右支持板の内部構造図である。
【図４】はクランプ機構の構造図１である。
【図５】はクランプ機構の構造図２である。
【図６】はクランプ機構の局部分解図１である。
【図７】はクランプ機構の局部分解図２である。
【図８】はディスプレイ反転機構の構造図１である。
【図９】はディスプレイ反転機構の構造図２である。
【図１０】は画面分割表示装置の折り畳んだ状態の斜視図１である。
【図１１】は画面分割表示装置の折り畳んだ状態の斜視図２である。
【図１２】は支持機構の構造図である。
【図１３】は支持機構の分解図である。
【考案を実施するための形態】
【００１６】
以下に図面及び実施例を参照して本考案について詳細に説明する。
実施例１
本実施例はノートパソコンのディスプレイの画面分割表示装置を提供し、図１、図２、図
３、図１０及び図１１に示すように、それは左支持板１と右支持板２を含み、前記左支持
板１の縁辺部に左スライドアーム１０が形成され、前記右支持板２の縁辺部に右スライド
アーム２０が形成され、前記右スライドアーム２０と前記左スライドアーム１０は上下で
平行になり、前記左スライドアーム１０は前記右支持板２内に挿設され且つ両者が滑り嵌
めされて、前記右スライドアーム２０は前記左支持板１内に挿設され且つ両者が滑り嵌め
されて、前記左支持板１の左上隅及び前記右支持板２の右上隅にそれぞれノートパソコン
のディスプレイを挟持するためのクランプ機構３が設けられ、前記左支持板１の左側縁辺
部に左ディスプレイ４が設けられ且つ両者はヒンジ接続で組み合わされて、前記右支持板
２の右側縁辺部に右ディスプレイ５が設けられ且つ両者はヒンジ接続で組み合わされ、前
記左支持板１又は前記右支持板２の裏側には外向きに所定角度で起こすことができる支持
機構６が設けられる。
【００１７】
上記装置において、前記左支持板１及び右支持板２はノートパソコンのディスプレイの後
側に当接することができ、同時にクランプ機構３を利用してノートパソコンのディスプレ
イと前記左支持板１及び右支持板２を相互に固定し、それにより画面分割表示装置とノー
トパソコンのディスプレイをより効果的に組み合わせて使用し、同時に折り畳み式の左デ
ィスプレイ４及び右ディスプレイ５を組み合わせることで画面分割表示を実現し、画面分
割表示装置を単独で使用したいときには、さらに支持機構６を利用して該画面分割表示装
置を斜めに立てた状態に支持することができ、様々な応用のニーズを満たすことができる
。上記特徴から分かるように、本考案は従来技術に対して、画面分割表示を実現し、且つ
各サイズのノートパソコンのディスプレイに適合させることが可能であり、同時に、本考
案によるものは体積が小さく、折り畳みと支持の機能を兼ね備えており、ユーザの要件及
び市場のニーズをよりよく満たすことができる。
【００１８】
好ましい態様として、前記右支持板２の内側に歯車２１が設けられ、前記左スライドアー
ム１０の側辺にラック部１１が形成されて、前記ラック部１１と前記歯車２１が相互に噛
合する。
【００１９】
前記歯車２１とラック部１１の組み合わせによる作用で、前記左スライドアーム１０は前
記右支持板２に対向してスライドするだけでなく、前記歯車２１と連動することができ、
歯車２１とラック部１１の間に一定の抗力があることから、前記左支持板１と右支持板２
の間の相対的な平行移動の動きがより安定し、且つ一定の位置決め作用を有するようにな
り、前記左支持板１と右支持板２が使用中に自然に広がることを効果的に防止することが
でき、画面分割表示装置の安定性と信頼性を大きく向上させる。
【００２０】
さらに、前記左支持板１は左ベース１２と左パネル１３を含み、前記左ベース１２と前記
左パネル１３は対向して突き合わされ且つ両者は固定接続される。
【００２１】
対応して、前記右支持板２は右ベース２２と右パネル２３を含み、前記右ベース２２と前
記右パネル２３は対向して突き合わされ且つ両者は固定接続される。
【００２２】
前記歯車２１を収容するために、本実施例においては、前記右ベース２２の左側縁辺部に
円形ホルダ２４が形成され、前記歯車２１は前記円形ホルダ２４内に設けられ且つ前記歯
車２１の軸の周りに回転することができる。
【００２３】
対応して、前記右パネル２３上に円形パネルカバー２５が形成され、前記円形パネルカバ
ー２５は前記歯車２１を覆い、且つ前記円形パネルカバー２５は前記円形ホルダ２４と相
互に係合される。
【００２４】
突き合わせてからより良好に組み合わせるために、本実施例においては、前記左支持板１
の右側縁辺部に半円形凹部１４が開設され、且つ前記半円形凹部１４は前記円形ホルダ２
４に対向して設けられ、前記左支持板１と前記右支持板２を対向して突き合わせたときに
、前記円形ホルダ２４の左半分は前記半円形凹部１４の中に収容される。
【００２５】
好ましい態様として、前記左支持板１及び右支持板２の縁辺部にいずれもサイドシェル３
０が形成され、前記クランプ機構３は逆Ｕ字形クランプ３１を含み、前記逆Ｕ字形クラン
プ３１の第１ブラケット３１０は前記サイドシェル３０内に挿設され、且つ前記第１ブラ
ケット３１０は前記サイドシェル３０に対して前後にスライドすることができ、前記逆Ｕ
字形クランプ３１の第２ブラケット３１１は前記サイドシェル３０の前側に向かって延伸
し、且つ前記第２ブラケット３１１と前記サイドシェル３０の間に、ノートパソコンのデ
ィスプレイを挟持するための挟み口３２が形成され、前記第１ブラケット３１０の前側と
前記サイドシェル３０の間にクランプばね３３が挟み込まれ、前記クランプばね３３が付
勢する弾性力により前記逆Ｕ字形クランプ３１が後方に向かって移動することで、前記ノ
ートパソコンのディスプレイを前記挟み口３２の中にクランプする。
【００２６】
本実施例においては、前記右支持板２の上下両端にそれぞれ前向きに突出する前ステップ
部２００が形成され、前記右ディスプレイ５は上下二つの前ステップ部２００の間に挟み
込まれ、且つ前記右ディスプレイ５は上下二つの前ステップ部２００といずれも回転接続
され、前記左支持板１の上下両端にそれぞれ後向きに突出する後ステップ部１００が形成
され、前記左ディスプレイ４は上下二つの後ステップ部１００の間に挟み込まれ、且つ前
記左ディスプレイ４は上下二つの後ステップ部１００といずれも回転接続される。
【００２７】
前記右ディスプレイ５と上下二つの前ステップ部２００との組み合わせにより、前記右デ
ィスプレイ５を前記左支持板１及び前記右支持板２の前側に反転させることができる。
前記左ディスプレイ４と上下二つの後ステップ部１００との組み合わせにより、前記左デ
ィスプレイ４を前記左支持板１及び前記右支持板２の後側に反転させることができる。
本実施例においては、前記左支持板１又は前記右支持板２の後側にスロット６０が開設さ
れ、前記支持機構６は角管支持アーム６１を含み、前記角管支持アーム６１は前記スロッ
ト６０内に設けられ、且つ前記角管支持アーム６１は前記スロット６０に相対して所定角
度で起こすことができ、前記角管支持アーム６１内に伸縮アーム６２が穿設され、前記伸
縮アーム６２は前記角管支持アーム６１の下端から伸び出し、且つ前記伸縮アーム６２と
前記角管支持アーム６１は滑り嵌めされ、前記角管支持アーム６１の側面に押しねじ６３
が穿設され、前記押しねじ６３と前記角管支持アーム６１はねじで係合され、且つ前記押
しねじ６３の端部は前記伸縮アーム６２に向けられ、前記押しねじ６３が前記伸縮アーム
６２に押し付けられて係合することで、前記伸縮アーム６２が前記角管支持アーム６１内
に固定される。
【００２８】
実施例２
実際の応用において、画面分割表示装置をノートパソコンと組み合わせて使用する際には
、画面分割表示装置をノートパソコンのディスプレイ上に掛けることが最も好ましいが、
画面分割表示装置とノートパソコンのディスプレイをどのようにしっかりと組み合わせる
か、画面分割表示装置が使用中に落下するのをどのように防止するかは、従来技術におい
て解決が待たれる課題である。
【００２９】
これについて、本実施例は画面分割表示装置におけるノートパソコンのディスプレイのク
ランプ機構を提供し、図１、図２、図４から図７に示すように、前記クランプ機構３は前
記画面分割表示装置の左支持板１及び右支持板２に設けられ、前記左支持板１及び右支持
板２の縁辺部にいずれもサイドシェル３０が形成され、前記クランプ機構３は逆Ｕ字形ク
ランプ３１を含み、前記逆Ｕ字形クランプ３１の第１ブラケット３１０は前記サイドシェ
ル３０内に挿設され、且つ前記第１ブラケット３１０は前記サイドシェル３０に対して前
後にスライドすることができ、前記逆Ｕ字形クランプ３１の第２ブラケット３１１は前記
サイドシェル３０の前側に向かって延伸し、且つ前記第２ブラケット３１１と前記サイド
シェル３０の間に、ノートパソコンのディスプレイを挟持するための挟み口３２が形成さ
れ、前記第１ブラケット３１０の前側と前記サイドシェル３０の間にクランプばね３３が
挟み込まれ、前記クランプばね３３が付勢する弾性力により前記逆Ｕ字形クランプ３１が
後方に向かって移動することで、前記ノートパソコンのディスプレイを前記挟み口３２の
中にクランプする。
【００３０】
上記機構においては、前記左支持板１と右支持板２の縁辺部にそれぞれ逆Ｕ字形クランプ
３１が設置され、逆Ｕ字形クランプ３１を利用してノートパソコンのディスプレイの上エ
ッジにはめ込むことができ、これを基礎として、本考案においては前記逆Ｕ字形クランプ
３１の第１ブラケット３１０を前記サイドシェル３０に対して前後にスライドさせること
ができ、前記クランプばね３３が付勢する弾性力の作用で、前記ノートパソコンのディス
プレイを前記挟み口３２の中に弾性クランプすることができ、前記左支持板１と右支持板
２をノートパソコンのディスプレイの裏側に安定して当接することができ、さらにはノー
トパソコンのディスプレイとの弾性挟持によるよりしっかりした組み合わせを可能にする
。従来技術と比較して、本考案により画面分割表示装置とノートパソコンのディスプレイ
を良好に組み合わせることができ、画面分割表示装置が使用中に落下するのを効果的に防
止して、使用の安全性と信頼性を大きく向上させることができる。
【００３１】
前記逆Ｕ字形クランプ３１をより良好に収容するために、本実施例においては、前記サイ
ドシェル３０上にソケット３００が開設され、前記逆Ｕ字形クランプ３１は前記ソケット
３００内に設けられる。
【００３２】
前記逆Ｕ字形クランプ３１に対する遮蔽、目隠しする役割を果たすために、本実施例にお
いては、前記ソケット３００の前側にフランジ３０１が形成され、前記逆Ｕ字形クランプ
３１の上方にＬ形ストッパ３０２が設けられ、前記Ｌ形ストッパ３０２の先端にタング３
０３が形成され、前記フランジ３０１にスロット３０４が開設され、前記タング３０３は
前記スロット３０４内に挿設され且つ両者は緊密に係合し、前記Ｌ形ストッパ３０２の内
側に突起３０５が形成され、前記ソケット３００の内壁に固定溝３０６が開設され、前記
突起３０５は前記固定溝３０６内に挿設され且つ両者は緊密に係合する。
【００３３】
ノートパソコンのディスプレイの損傷を防ぐために、本実施例においては、前記逆Ｕ字形
クランプ３１の内壁にソフトパッド３４が固定される。
【００３４】
好ましい態様として、前記第１ブラケット３１０の前側と前記サイドシェル３０の間に二
つのクランプばね３３が挟み込まれる。
【００３５】
実施例３
実際の応用において、ディスプレイの折り畳みが可能な電子製品については、ディスプレ
イと本体との間にヒンジ軸が設置されるだけでよいが、両側に折り畳みディスプレイを同
時に有する製品については、一般的に、一つのディスプレイを本体上に折り畳み、もう一
つを該ディスプレイの外側に折り畳むが、この折り畳み方式は本体の一方側のヒンジ部分
が厚くて重くなり、他方側のヒンジ部分が薄くて軽くなり、本体両側の重量配分が均等で
なく、使用中の安定した引っ掛け又は設置が難しく、安定性及び信頼性に欠ける。
【００３６】
これについて、本実施例においては画面分割表示装置のディスプレイ反転機構を提供し、
図１、図２、図８から図１１に示すように、前記画面分割表示装置は左支持板１と右支持
板２を含み、前記右支持板２の右側縁辺部に右ディスプレイ５が設けられ、前記右支持板
２の上下両端にそれぞれ前向きに突出する前ステップ部２００が形成され、前記右ディス
プレイ５は上下二つの前ステップ部２００の間に挟み込まれ、且つ前記右ディスプレイ５
は上下二つの前ステップ部２００といずれも回転接続され、前記左支持板１の左側縁辺部
に左ディスプレイ４が設けられ、前記左支持板１の上下両端にそれぞれ後向きに突出する
後ステップ部１００が形成され、前記左ディスプレイ４は上下二つの後ステップ部１００
の間に挟み込まれ、且つ前記左ディスプレイ４は上下二つの後ステップ部１００といずれ
も回転接続される。
【００３７】
前記右ディスプレイ５と上下二つの前ステップ部２００との組み合わせにより、前記右デ
ィスプレイ５を前記左支持板１及び前記右支持板２の前側に向かって反転させることがで
きる。
【００３８】
前記左ディスプレイ４と上下二つの後ステップ部１００との組み合わせにより、前記左デ
ィスプレイ４を前記左支持板１及び前記右支持板２の後側に向かって反転させることがで
きる。
【００３９】
上記機構において、前記右支持板２の上下両端にそれぞれ前ステップ部２００が設けられ
、前記左支持板１の上下両端にそれぞれ後ステップ部１００が設けられ、前ステップ部２
００が前向きに突出していることから、前記右ディスプレイ５を前向きに反転させ、折り
畳むことができ、後ステップ部１００が後向きに突出していることから、前記左ディスプ
レイ４を後向きに反転させ、折り畳むことができ、この原理から分かるように、本実施例
における前記右ディスプレイ５及び前記左ディスプレイ４はそれぞれ前後両側に反転する
ことができ、従来技術における同一の側に反転させる方式に比較して、本考案における左
右支持板の両側の重量はよりバランスが取れており、画面分割表示装置をノートパソコン
のディスプレイに掛ける時に、ノートパソコンのディスプレイとのマッチング関係がより
安定し確実であり、ユーザの要件と応用のニーズをよりよく満たすことができる。
【００４０】
本実施例において、前記右支持板２の上端にある前ステップ部２００と前記右ディスプレ
イ５は右回転シャフト２０１を介して接続される。
【００４１】
前記右ディスプレイ５に抗力を提供し、前記右ディスプレイ５を対応する反転位置に位置
決めできるようにするために、本実施例においては、前記右支持板２の下端にある前ステ
ップ部２００と前記右ディスプレイ５は右ダンパシャフト２０２を介して接続される。
【００４２】
同様に、前記左支持板１の上端にある後ステップ部１００と前記左ディスプレイ４は左回
転シャフト１０１を介して接続される。
【００４３】
前記左ディスプレイ４に抗力を提供し、前記左ディスプレイ４を対応する反転位置に位置
決めできるようにするために、本実施例においては、前記左支持板１の下端にある後ステ
ップ部１００と前記左ディスプレイ４は左ダンパシャフト１０２を介して接続される。
【００４４】
実施例４
実際の応用において、小型の画面分割表示装置をノートパソコンのディスプレイ上に掛け
ることで、ノートパソコンと効果的にマッチングさせて使用することができるが、画面分
割表示装置を単独で使用する場合、それを立たせて又は斜めに立てかけて設置するのは困
難であり、ユーザがそれを見やすくするために画面分割表示装置をある場所に寄りかから
せる必要があり、このことから分かるように、従来の画面分割表示装置には支持機能がな
く、ユーザのニーズを満たすことができない。
【００４５】
これについて、本実施例においては画面分割表示装置の支持機構を提供し、図１、図２、
図１２及び図１３に示すように、前記支持機構６は前記画面分割表示装置の前記左支持板
１又は前記右支持板２に取り付けられ、前記左支持板１又は前記右支持板２の後側にスロ
ット６０が開設され、前記支持機構６は角管支持アーム６１を含み、前記角管支持アーム
６１は前記スロット６０内に設けられ、且つ前記角管支持アーム６１は前記スロット６０
に相対して所定角度で起こすことができ、前記角管支持アーム６１内に伸縮アーム６２が
穿設され、前記伸縮アーム６２は前記角管支持アーム６１の下端から伸び出し、且つ前記
伸縮アーム６２と前記角管支持アーム６１は滑り嵌めされ、前記角管支持アーム６１の側
面に押しねじ６３が穿設され、前記押しねじ６３と前記角管支持アーム６１はねじで係合
され、且つ前記押しねじ６３の端部は前記伸縮アーム６２に向けられ、前記押しねじ６３
が前記伸縮アーム６２に押し付けられて係合することで、前記伸縮アーム６２が前記角管
支持アーム６１内に固定される。
【００４６】
上記機構において、前記左支持板１又は前記右支持板２の後側にスロット６０が設置され
、同時に前記角管支持アーム６１を前記スロット６０に対して所定角度で起こすことがで
き、画面分割表示装置を単独で使用したい場合、前記角管支持アーム６１を外向きに反転
させた後、前記伸縮アーム６２を対応する長さに外向きに延伸させ、さらに前記押しねじ
６３を利用して前記伸縮アーム６２を前記角管支持アーム６１内にロックし、上記構造関
係により、前記伸縮アーム６２及び前記角管支持アーム６１を利用して前記左支持板１又
は前記右支持板２を支持する役割を果たし、画面分割表示装置を直立又は一定の角度に傾
斜させることができ、単独で使用する応用のニーズを満たす。画面分割表示装置とノート
パソコンのディスプレイを組み合わせて使用する場合には、前記押しねじ６３を緩めて、
前記伸縮アーム６２を前記角管支持アーム６１内に引き込み、さらに前記角管支持アーム
６１を前記スロット６０内に反転させるだけで格納され、従来技術に比較して、本考案の
支持機構は収容と開放の操作が簡単で、使いやすく、様々な使用のニーズを満たすことが
できる。
【００４７】
本実施例においては、前記スロット６０内に水平シャフト６４が固定され、前記水平シャ
フト６４は前記角管支持アーム６１の上端部を貫通し且つ両者は回転して係合され、前記
角管支持アーム６１の上端角部に角丸部６１０が形成され、前記角丸部６１０と前記スロ
ット６０の内壁は相互に当接し、且つ前記角丸部６１０と前記スロット６０の内壁は滑り
嵌めされる。上記構造関係により、前記角管支持アーム６１を外向きに反転させた後に対
応する角度に位置決めすることができ、前記角管支持アーム６１の反転範囲を制限する役
割を果たす。
【００４８】
前記伸縮アーム６２の伸縮ストロークを制限する役割を果たすために、本実施例において
は、前記伸縮アーム６２に細長いスロット６２０が開設され、前記細長いスロット６２０
は前記伸縮アーム６２の長さ方向に沿って延伸し、前記角管支持アーム６１内に位置規制
ストッパ６２１が固定され、前記位置規制ストッパ６２１は前記細長いスロット６２０内
に嵌合され且つ両者は摺接されている。
【００４９】
前記押しねじ６３をねじ込みやすくするために、本実施例においては、前記押しねじ６３
の、前記角管支持アーム６１の外側に位置する部分にねじ込みつまみ６３０が形成され、
前記スロット６０の縁辺部に収容溝６４が開設され、前記角管支持アーム６１が前記スロ
ット６０内に反転した時に、前記ねじ込みつまみ６３０は前記収容溝６４内に収容される
。
好ましい態様として、前記伸縮アーム６２の下端にソフトパッド６２２が固定される。
以上の記載は本考案の好ましい実施例に過ぎず、本考案を限定するものではなく、本実用
新案登録請求の範囲の中でなされる修正、等価置換又は改良などは、いずれも本考案の保
護範囲に含まれるべきである。
【図１】
0003231364.tif 000003
【図２】
0003231364.tif 000004
【図３】
0003231364.tif 000005
【図４】
0003231364.tif 000006
【図５】
0003231364.tif 000007
【図６】
0003231364.tif 000008
【図７】
0003231364.tif 000009
【図８】
0003231364.tif 000010
【図９】
0003231364.tif 000011
【図１０】
0003231364.tif 000012
【図１１】
0003231364.tif 000013
【図１２】
0003231364.tif 000014
【図１３】
0003231364.tif 000015